(57)【要約】【課題】製造工程を簡素化し且つ輝度を確保することができる蓄光マット、該蓄光マットの製造方法及び蓄光シートを提供する。【解決手段】本発明に係る蓄光マットは、マットと、該マットの一面上に配置されており、前記一面に直角な方向に突出した蓄光部とを備える。突出していることが認識できるように、所定寸法以上の厚さでマットの一面に蓄光部を設けてある。所定寸法以上の厚さで設けることによって、暗がりでも高い輝度で光ることが可能な量の蓄光成分を確保することができる。また蓄光部を有する別体のマットを作成する必要が無く、製造工程を簡素化することができる。【選択図】図１
2018183558.tif 000002
【特許請求の範囲】
【請求項１】
マットと、
該マットの一面上に配置されており、前記一面に直角な方向に突出した蓄光部と
を備える蓄光マット。
【請求項２】
前記蓄光部の厚さは０．３ｍｍ以上である
請求項１に記載の蓄光マット。
【請求項３】
前記蓄光部は前記マットに直接形成されている
請求項１又は２に記載の蓄光マット。
【請求項４】
原反の一面に蓄光顔料を含む塗料を直接スクリーン印刷し、
前記塗料を乾燥させて、前記一面に直角な方向に突出した蓄光部を形成し、
前記蓄光部を形成した前記原反を裁断する
蓄光マットの製造方法。
【請求項５】
シートと、
該シートの一面上に配置されており、前記一面に直角な方向に突出した蓄光部と
を備える蓄光シート。
【発明の詳細な説明】
【技術分野】
【０００１】
本発明は、マットに蓄光部を設けた蓄光マット及び該蓄光マットの製造方法、並びにシートに蓄光部を設けた蓄光シートに関する。
【背景技術】
【０００２】
従来、階段マット本体と、該階段マット本体に嵌め込む蛍光マットとを備える階段マットが提案されている（例えば、特許文献１参照）。階段マット本体には、嵌め込み穴が設けられており、この嵌め込み穴に蛍光マットを嵌め込んである。
【０００３】
階段マットは階段に設けられる。暗がりにおいて、ユーザは蛍光マットを認識することができ、ユーザが階段を踏み外すことを防止することができる。
【先行技術文献】
【特許文献】
【０００４】
【特許文献１】特許第３４０７０５２号公報
【発明の概要】
【発明が解決しようとする課題】
【０００５】
蛍光マットの製造時に、マット原反を蛍光色に染める工程及び染めたマット原反を切断する工程が必要である。すなわち、蛍光マットを、階段マット本体とは別途作成する必要がある。更に階段マット本体の製造時に嵌め込み穴を形成する工程が必要であり、加えて嵌め込み穴に蛍光マットを嵌め込むことができるように、精度よく嵌め込み穴を形成しなければならない。
【０００６】
本発明は斯かる事情に鑑みてなされたものであり、製造工程を簡素化し且つ輝度を確保することができる蓄光マット、蓄光マットの製造方法及び蓄光シートを提供することを目的とする。
【課題を解決するための手段】
【０００７】
本発明に係る蓄光マットは、マットと、該マットの一面上に配置されており、前記一面に直角な方向に突出した蓄光部とを備える。
【０００８】
本発明に係る蓄光マットは、前記蓄光部の厚さは０．３ｍｍ以上である。
【０００９】
本発明に係る蓄光マットは、前記蓄光部は前記マットに直接形成されている。
【００１０】
本発明に係る蓄光マットの製造方法は、原反の一面に蓄光顔料を含む塗料を直接スクリーン印刷し、前記塗料を乾燥させて、前記一面に直角な方向に突出した蓄光部を形成し、前記蓄光部を形成した前記原反を裁断する。
【００１１】
本発明に係る蓄光シートは、シートと、該シートの一面上に配置されており、前記一面に直角な方向に突出した蓄光部とを備える。
【００１２】
本発明においては、マット又はシートの一面に蓄光部を設けてあり、該蓄光部は前記一面から突出している。すなわち、突出していることが認識できるように、所定寸法以上の厚さでマット又はシートの一面に蓄光部を設けてある。
【００１３】
本発明にあっては、蓄光部の厚さを０．３ｍｍ以上とすることによって、蓄光部において、高い輝度で光ることが可能な量の蓄光成分が確保される。
【００１４】
本発明にあっては、マット又はシートに蓄光部を直接形成することによって、製造工程の増加を抑制する。
【発明の効果】
【００１５】
本発明に係る蓄光マット、蓄光マットの製造方法及び蓄光シートにあっては、マット又はシートの一面に蓄光部を設けてあり、該蓄光部は前記一面から突出している。すなわち、突出していることが認識できるように、所定寸法以上の厚さでマット又はシートの一面に蓄光部を設けてある。所定寸法以上の厚さで設けることによって、暗がりでも高い輝度で光ることが可能な量の蓄光成分を確保することができる。また蓄光部を有する別体のマットを作成する必要が無く、製造工程を簡素化することができる。またマット又はシートと蓄光部との間に段差が生じ、ユーザは触覚によって、蓄光部の形状を認識することができる。
【図面の簡単な説明】
【００１６】
【図１】実施の形態１に係る蓄光マットを略示する平面図である。
【図２】図１のＩＩ−ＩＩ線を切断線とした蓄光マットの略示断面図である。
【図３】蓄光マットを略示する底面図である。
【図４】蓄光マットを階段に設けた状態を例示する斜視図である。
【図５】蓄光部のりん光輝度の試験結果を示す表である。
【図６】「ＪＩＳ  Ｚ９１０７」によって定められた常用光源蛍光ランプＤ65を用いたりん光材料の最低りん光輝度を示す表である。
【図７】変更例に係る蓄光マットを略示する模式的斜視図である。
【図８】蓄光シートを略示する正面図である。
【図９】図８のＩＸ−ＩＸ線を切断線とした蓄光シートの略示断面図である。
【図１０】蓄光シートを壁に設けた状態を例示する正面図である。
【発明を実施するための形態】
【００１７】
（実施の形態１）
以下本発明を実施の形態１に係る蓄光マットを示す図面に基づいて説明する。図１は、蓄光マットを略示する平面図、図２は、図１のＩＩ−ＩＩ線を切断線とした蓄光マットの略示断面図、図３は、蓄光マットを略示する底面図である。
【００１８】
図１に示すように、蓄光マット１は、例えば横長矩形のマット２を備える。マット２の第一長辺２ａは外向きに突出するように湾曲している。マット２の第二長辺２ｂは直線状をなす。マット２は、例えば不織布によって構成されている。マット２の第二長辺２ｂに沿って、複数の蓄光部３がマット２の表面に並設されている。蓄光部３はマット２に直接形成され、例えば平面視四角形をなす。なお蓄光部３の形状は四角形に限定されず、平面視三角形、丸形又は星形等、他の形状でもよい。蓄光部３は、光のエネルギーを吸収し、吸収したエネルギーを可視光線に変換して、光を放出する。
【００１９】
蓄光部３はバインダー及び蓄光顔料によって構成されている。バインダーは、例えば、アクリル樹脂材、石油ナフサ、ポリオキシエチレンアルキルエーテル及びアンモニア水、水等を含む。蓄光顔料は、例えば、ジスプロシウム、ユウロピウムで付活したアルミン酸ストロンチウム（蓄光成分）を含む。
【００２０】
バインダー及び蓄光顔料を含む塗料を原反にスクリーン印刷することによって、蓄光部３は形成される。バインダー及び蓄光顔料の重量パーセントは、例えば、蓄光顔料が３％以上、バインダーは９７％以下である。蓄光部３の輝度の確保及びスクリーン印刷時における塗料のスクリーンからの離れ易さを考慮して、バインダー及び蓄光顔料の重量パーセントは決定される。図２に示すように、蓄光部３の厚さＤは０．３ｍｍ以上である。厚さＤは、例えば０．３ｍｍ〜１．０ｍｍの範囲内に設定する。
【００２１】
図２及び図３に示すように、マット２の裏面に吸着層４が設けられており、吸着層４は、マット２の長手方向に延びた複数の吸着条４ａを有している。吸着層４は、吸着性を有するアクリル酸エステル共重合体のエマルジョンに、泡を安定させる添加材及び充填材を配合してなる合成樹脂材料が用いられる。
【００２２】
図４は、蓄光マット１を階段に設けた状態を例示する斜視図である。図４に示すように、ユーザは蓄光マット１を階段に設けることができる。例えば、裏面を階段上面に対向させて、且つ第二長辺２ｂが階段上面の外縁に沿うように、蓄光マット１は階段上面に設けられる。吸着条４ａは階段上面に接着し、蓄光マット１は階段に固定される。
【００２３】
暗がりにおいて、蓄光マット１の蓄光部３は光を放出し、ユーザは蓄光部３を認識する。階段の外縁に沿って蓄光部３が発光することによって、ユーザは階段に縁の位置を認識することができる。そのため、暗がりにおいて、ユーザが階段を踏み外すことを防止することができる。
【００２４】
バインダー及び蓄光顔料の重量パーセントを、例えば、蓄光顔料は３％以上、バインダーは９７％以下とし、蓄光部３の厚さＤは０．３ｍｍ以上にすることによって、高い輝度で光ることが可能な量の蓄光成分が蓄光部３に確保される。
【００２５】
図５は、蓄光部３のりん光輝度の試験結果を示す表である。試験対象１における蓄光部３の厚さは略０．５ｍｍであり、試験対象２における蓄光部３の厚さは略０．８ｍｍである。試験方法は、「ＪＩＳ  Ｚ９１０７：２００８  安全標識−性能の分類、性能基準及び試験方法６．試験方法６．３．２  りん光材料のりん光輝度試験」に準じた。
【００２６】
試験条件は以下の通りである。輝度計は株式会社トプコン製ＢＭ−５Ａを使用した。視野角度は０．２度に設定した。測定距離は３３ｃｍである。ランプの種類は、常用光源蛍光ランプＤ65である。励起光条件は、２００[ｌｘ]で照射し、励起時間は２０分である。
【００２７】
図６は、「ＪＩＳ  Ｚ９１０７」によって定められた常用光源蛍光ランプＤ65を用いたりん光材料の最低りん光輝度を示す表である。図５及び図６に示すように、蓄光マット１は、少なくとも、副分類ＪＡの輝度性能を備えており、輝度を確保することができる。
【００２８】
蓄光マット１は以下のように製造される。まずは吸着層４を形成する。吸着層４は次のような工程によって形成される。上述した合成樹脂材料の溶液をポンプによって送り出す送出路の中間に空気源に連通する撹拌室が設けてあり、該撹拌室に空気を吹き込みつつ撹拌室に供給された前記溶液を撹拌することによって該溶液を泡立たせ、この泡状溶液を前記送出路の出口から不織布の原反の裏面に塗布し、この塗布された泡状溶液をドクターブレードにより均した後、約１３０〜２２０℃の乾燥室で乾燥させて、熱架橋及び自己架橋させる。この後、乾燥室から取り出し、冷却することにより吸着性を有する状態で前記泡状溶液が硬化し、複数の微小気泡を有する吸着層４が形成される。尚、原反の裏面に塗布された溶液の一部は不織布に浸透する。また不織布原反には低融点繊維が配合されている。低融点繊維の配合によって、不織布原反の繊維結合が強くなり、しわの発生が抑制され、耐摩耗性が向上する。
【００２９】
微小気泡は吸着層４の表面に生じ、吸着層４を、対象物（例えば階段）の上面に押付けることによりその表面に露出する複数の微小気泡の夫々が内部空気を排出し、真空吸着作用をなし、この真空吸着作用が吸着層４の接着性を高めている。
【００３０】
次に蓄光部３を形成する。原反の表面に、バインダー及び蓄光顔料を含む塗料を、スクリーンを用いて印刷する。その後、これを乾燥させ、蓄光部３を形成させる。使用するスクリーンは粗目であり、１インチ当たりのメッシュ数は例えば、２５〜３６である。スクリーンを粗目に設定することによって、蓄光部３を構成する塗料の粘度が高い場合でも、原反に印刷された塗料がスクリーンから離れやすくなる。以上のように蓄光部３及び吸着層４が形成された原反が例えば横長矩形に裁断され、蓄光マット１が製造される。このとき、蓄光部３が第二長辺２ｂに沿って並ぶように、原反は裁断される。
【００３１】
実施の形態１に係る蓄光マット１にあっては、マット２の一面に蓄光部３を設けてあり、該蓄光部３は前記一面から突出している。すなわち、突出していることが認識できるように、所定寸法以上の厚さでマット２の一面に蓄光部３を設けてある。所定寸法以上の厚さで設けることによって、暗がりでも高い輝度で光ることが可能な量の蓄光成分を確保することができる。また別体のマット２を作成する必要が無く、製造工程を簡素化することができる。
【００３２】
また蓄光部３の厚さを０．３ｍｍ以上とすることによって、高い輝度で光ることが可能な量の蓄光成分を蓄光部３に確保することができる。
【００３３】
実施の形態１に代えて、反射剤を有する塗料をマット２表面の所定部分に塗布して乾燥させ、反射部を形成し、その後、０．１ｍｍ以下の薄膜状の蓄光部を前記所定部分に形成し、十分な輝度を確保することが考えられる。反射部を設けることによって、蓄光部３からマット２の裏面に向かう光は反射部にて反射し、マット２の表面に向かう。これにより、薄い蓄光部が発する弱い光を強化することができる。なお反射部を設けずに、薄い蓄光部をマット２に設けた場合、蓄光部３からマット２の裏面に向かう光はマット２の表面に向かわず、表側から視認した場合における蓄光部３の輝度は低下する。
【００３４】
しかし、反射部を設ける場合、反射剤を有する塗料を塗布する工程及び前記塗料を乾燥させる工程が必要であり、更に反射部の上に蓄光部３を精度よく位置決めする必要がある。実施の形態にあっては、マット２に厚い蓄光部３をスクリーン印刷することによって、マット２に、十分な量の蓄光成分を有する蓄光部３が直接形成され、製造工程の増加を抑制し、十分な輝度を確保した蓄光マット１を効率的に製造することができる。
【００３５】
なお従来、蓄光テープをマットに貼付することも行われているが、蓄光テープはマットから剥がれやすい。実施の形態にあっては、蓄光部をマットに直接印刷しているので、蓄光部はマットから剥がれ難い。
【００３６】
図７は、変更例に係る蓄光マット１１を略示する模式的斜視図である。蓄光マット１１は、パネル状のマット２０及び矢印形の蓄光部３０を備えていてもよい。蓄光部３０の矢印が目的物（例えば非常口）を指し示すように、蓄光マット１１を床５０に設置するか又は壁５１に取り付けてもよい。なお図７においては、蓄光部３０を明示するために、蓄光部３０を比較的大きく表現しているが、蓄光部３０の大きさは図７に示すものに拘泥されない。
【００３７】
蓄光部３０の矢印が非常口に向けられることによって、ユーザは暗がりでの緊急時に、蓄光部３０の矢印を視認し、非常口に向けて円滑に移動することができる。また壁５１に蓄光パネルを設けた場合には、マット２０と蓄光部３０との間に段差が生じていることから、ユーザは壁５１に手を接触させながら移動することで、視覚のみならず、触覚によって蓄光部３０の矢印を認識しながら、非常口に向けて円滑に移動することができる。
【００３８】
蓄光部３の厚さＤは使用目的によって適宜設定される。階段又は床５０に蓄光マット１、１１を設置する場合には、高過ぎると歩行時の障害になるおそれがあるので、例えば０．３〜０．８ｍｍの範囲内に設定する。更に輝度の確保を確実にすべく、好ましくは、厚さＤを０．５〜０．８ｍｍに設定する。また壁５１に蓄光マット１１を設置する場合には、触覚による認識を向上させるために、厚さＤを例えば０．８〜１．０ｍｍの範囲に設定する。
【００３９】
（実施の形態２）
以下本発明を実施の形態２に係る蓄光シート１０を示す図面に基づいて説明する。図８は、蓄光シート１０を略示する正面図、図９は、図８のＩＸ−ＩＸ線を切断線とした蓄光シート１０の略示断面図である。蓄光シート１０は、例えば横長矩形のシート４０を備える。シート４０は、例えば不織布によって構成されている。シート４０の表面に蓄光部３が設けられている。
【００４０】
蓄光部３はシート４０に直接形成され、例えば正面視円形をなす。なお蓄光部３の形状は円形に限定されず、正面視四角形、三角形、星形、又はカボチャ若しくはサンタクロースの形状等他の形状でもよい。シート４０の表面には、絵柄又は模様４１が描かれている。例えば、図８には、ボールに見立てた蓄光部３と戯れる猫の絵柄４１が描かれており、蓄光部３を含めた一つのデザインとして絵柄４１が描かれている。
【００４１】
シート４０の裏面に吸着層４が設けられており、吸着層４は、例えばシート４０の縦方向に延びた複数の吸着条４ａを有し、複数の吸着条４ａは横方向に並んでいる。なお蓄光シート１０は、蓄光マット１と同様に、原反の一面に蓄光顔料を含む塗料を直接スクリーン印刷し、印刷された塗料を乾燥させて、前記一面に直角な方向に突出した蓄光部を形成し、蓄光部を形成した前記原反を裁断することによって、製造される。
【００４２】
図１０は、蓄光シート１０を壁５１に設けた状態を例示する正面図である。図４に示すように、ユーザは蓄光シート１０を壁５１に設けることができる。壁５１にスイッチ５１ａが取り付けられている場合、スイッチ５１ａの近傍に蓄光シート１０を貼り付けることができる。蓄光シート１０には、絵柄又は模様４１が描かれているので、視認性の高い昼間は室内装飾として蓄光シート１０を使用することができ、且つ視認性の低い夜間は、蓄光部３が発光することによって、スイッチ５１ａの位置を示す表示器として蓄光シート１０を使用することができる。
【００４３】
なお蓄光シート１０を設ける場所は、壁５１又は窓に限定されず、例えば床に設けてもよい。またシート４０乃至シート４０の原反から、蓄光部３の部分のみ打ち抜いて裁断してもよい。この場合、正面視四角形、三角形、星形、又はカボチャ若しくはサンタクロースの形状等をなす蓄光部３の部分のみを、装飾として壁、窓、スイッチ５１ａの枠部分又は床等に設けることができる。この場合、蓄光部３及びその近傍部分にのみシート４０が存在し、その他の部分にシート４０がないので、蓄光部３及びその近傍部分以外のシート４０に塵埃が付着することを回避することができる。
【００４４】
実施の形態２に係る構成の内、実施の形態１と同様な構成については同じ符号を付し、その詳細な説明を省略する。
【００４５】
今回開示した実施の形態は、全ての点で例示であって、制限的なものではないと考えら
れるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４６】
１、１１  蓄光マット
２、２０  マット
３、３０  蓄光部
１０  蓄光シート
４０  シート
【図１】
2018183558.tif 000003
【図２】
2018183558.tif 000004
【図３】
2018183558.tif 000005
【図４】
2018183558.tif 000006
【図５】
2018183558.tif 000007
【図６】
2018183558.tif 000008
【図７】
2018183558.tif 000009
【図８】
2018183558.tif 000010
【図９】
2018183558.tif 000011
【図１０】
2018183558.tif 000012